(57)【要約】【課題】取り付けが簡単で、かつケーブルが抜けにくいケーブルガイドを用いたケーブル配索構造を提供する。【解決手段】ケーブルガイド部材は、一方の縁部と他方の縁部とを有する支持部と、一方の縁部側に立設する第一立設部と、他方の縁部側に立設する第二立設部とを有し、第一立設部は、ベース部材と係合する係合部を有し、第二立設部は、ベース部材と接続する接続部を有し、第一立設部と第二立設部との間には、ケーブルの両端中間の直線状部が配置される間隔を有する。ベース部材は、第一立設部の係合部と係合する被係合部を有し、ケーブルガイド部材がベース部材に取り付けられた状態でケーブルが配索された配索状態において、ケーブルが支持部と当接することにより支持部が受ける力の方向に、係合部と被係合部とが係合する係合関係を形成し、支持部に配置されたケーブルの軸周り方向に、ケーブルが離脱不能な閉構造を形成する。【選択図】図３
2020002713.tif 000002
【特許請求の範囲】
【請求項１】
ベース部材と、
ベース部材に沿って配索されるケーブルと、
前記ベース部材に取り付けられて前記ケーブルの両端中間の直線状部を支持するケーブルガイド部材と、を備えたケーブル配索構造であって、
前記ケーブルガイド部材は、
一方の縁部と他方の縁部とを有する支持部と、前記一方の縁部側に立設する第一立設部と、前記他方の縁部側に立設する第二立設部とを有し、
前記第一立設部は、前記ベース部材と係合する係合部を有し、
前記第二立設部は、前記ベース部材と接続する接続部を有し、
前記第一立設部と前記第二立設部との間には、前記直線状部が配置される間隔を有し、
前記ベース部材は、前記第一立設部の前記係合部と係合する被係合部を有し、
前記ケーブルガイド部材と前記ベース部材とは、前記ケーブルガイド部材が前記ベース部材に取り付けられた状態で前記ケーブルが配索された配索状態において、前記ケーブルが前記支持部と当接することにより前記支持部が受ける力の方向に、前記係合部と前記被係合部とが係合する係合関係を形成し、
前記ケーブルガイド部材と前記ベース部材とは、前記配索状態において、前記支持部に配置された前記ケーブルの軸周り方向に、前記ケーブルが離脱不能な閉構造を形成する、  ケーブル配索構造。
【請求項２】
前記係合部は、前記第一立設部が前記支持部から延びる方向に突出する凸部を有し、前記被係合部は前記凸部を挿入可能な孔を有する、
請求項１に記載のケーブル配索構造。
【請求項３】
前記第一立設部と前記第二立設部とは、前記ケーブルが延びる方向に離間して前記支持部に設けられた、
請求項１または請求項２に記載のケーブル配索構造。
【請求項４】
前記ベース部材の被係合部は、前記ケーブルが配索される方向と略平行な第一面と前記第一面と反対側の第二面とを有し、
前記ケーブルガイド部材の前記係合部は、前記第一面と当接する第一当接部と、前記第二面と当接する第二当接部と、先端に前記凸部が設けられた弾性片を有し、
前記係合部は、前記第一当接部と前記第二当接部とにより前記被係合部を挟持可能な、
請求項２に記載のケーブル配索構造。
【請求項５】
請求項１から請求項４のいずれか一項に記載のケーブル配索構造を用いた窓ガラス昇降装置であって、
前記ベース部材を用いたガイドレールと、
前記ガイドレールに案内されるキャリア部材と、
駆動部と、
前記ケーブルとを有し、
前記ケーブルが前記キャリア部材と前記駆動部と接続され、
前記駆動部の駆動により前記キャリア部材が移動する、
窓ガラス昇降装置。
【発明の詳細な説明】
【技術分野】
【０００１】
本発明は、ケーブル配索構造およびこれを用いた窓ガラス昇降装置に関する。
【背景技術】
【０００２】
ケーブル式窓ガラス昇降装置などの、駆動力を、ケーブルを介して対象物に伝達して移動させる移動装置では、対象物を案内するガイドレール等のベース部材に沿ってケーブルが配索される。
このときケーブルは、張力が付与された状態でベース部材の一方から他方の間に配索されるが、ケーブルが張力によって張られた状態で一方側から他方側までの間において接触する部材が無い場合には、ケーブルの振動が容易となる。張力によって張られた状態とされたケーブルと接触する部材としては、ケーブルの移動を阻害しない状態で接触するケーブルガイドが提案されている（例えば、特許文献１）。
【０００３】
このようなケーブルガイドは、内部に導入されたケーブルが通常では抜け出すことが難しい閉込構造を予め構成し、ベース部材であるガイドレールに対して所定の位置となるように取り付けられる。
そのため、ケーブルは、通常の使用では、このケーブルガイドの閉込構造から抜け出ることがないので、ケーブルが弦のように振動して異音が発生するのを防止する等、ケーブルと接触する機能を発揮することができる。
【先行技術文献】
【特許文献】
【０００４】
【特許文献１】国際公開第２０１４／１０３８１６号
【発明の概要】
【発明が解決しようとする課題】
【０００５】
しかし、この閉込構造は、ケーブルを導入するための導入機構が必要であり、例えば導入機構に弾性部材を用いた場合には、搬送時に通常よりも大きな外力が弾性部材に負荷されるとケーブルが抜け出るおそれがあるため、搬送時には通常よりも大きな外力が負荷されないような管理が必要となる。つまり、ケーブルを介して対象物に伝達して移動させる移動装置においては、取り付けが簡単で、かつケーブルが抜けにくいケーブルガイドを用いたケーブル配索構造が求められている。
【０００６】
本発明は、取り付けが簡単で、かつケーブルが抜けにくいケーブルガイドを用いたケーブル配索構造およびこれを用いた窓ガラス昇降装置を提供することを目的とする。
【課題を解決するための手段】
【０００７】
本発明のケーブル配索構造は、ベース部材と、ベース部材に沿って配索されるケーブルと、前記ベース部材に取り付けられて前記ケーブルの両端中間の直線状部を支持するケーブルガイド部材と、を備えたケーブル配索構造であって、前記ケーブルガイド部材は、一方の縁部と他方の縁部とを有する支持部と、前記一方の縁部側に立設する第一立設部と、前記他方の縁部側に立設する第二立設部とを有し、前記第一立設部は、前記ベース部材と係合する係合部を有し、前記第二立設部は、前記ベース部材と接続する接続部を有し、前記第一立設部と前記第二立設部との間には、前記直線状部が配置される間隔を有し、前記ベース部材は、前記第一立設部の前記係合部と係合する被係合部を有し、前記ケーブルガイド部材と前記ベース部材とは、前記ケーブルガイド部材が前記ベース部材に取り付けられた状態で前記ケーブルが配索された配索状態において、前記ケーブルが前記支持部と当接することにより前記支持部が受ける力の方向に、前記係合部と前記被係合部とが係合する係合関係を形成し、前記ケーブルガイド部材と前記ベース部材とは、前記配索状態において、前記支持部に配置された前記ケーブルの軸周り方向に、前記ケーブルが離脱不能な閉構造を形成する。
【０００８】
本発明の窓ガラス昇降装置は、上記構成のケーブル配索構造を用いた窓ガラス昇降装置であって、前記ベース部材を用いたガイドレールと、前記ガイドレールに案内されるキャリア部材と、駆動部と、前記ケーブルとを有し、前記ケーブルが前記キャリア部材と前記駆動部と接続され、前記駆動部の駆動により前記キャリア部材が移動できる構成を備える。
【発明の効果】
【０００９】
本発明によれば、取り付けが簡単で、かつケーブルが抜けにくいケーブルガイドを用いたケーブル配索構造を実現できる。
【図面の簡単な説明】
【００１０】
【図１】本発明の一実施の形態に係るケーブル配索構造を用いた窓ガラス昇降装置を模式的に示す正面図である。
【図２】図１に示す窓ガラス昇降装置の左側面図である。
【図３】窓ガラス昇降装置におけるケーブル配索構造の要部構成を模式的に示す斜視図である。
【図４】図４Ａは図３におけるＡ−Ａ線断面図であり、図４Ｂは図３におけるＢ−Ｂ線断面図である。
【図５】本実施の一実施の形態に係るケーブル配索構造のケーブルガイド部材の変形例を示す図である。
【発明を実施するための形態】
【００１１】
以下、本発明の実施の形態について、図面を参照して詳細に説明する。
本実施の形態のケーブル配索構造は、例えば、ガイドレール等として用いられるベース部材にケーブルガイド部材が取り付けられて、ベース部材に沿って配索されるケーブルを、ベース部材に沿うケーブルの配索経路から外れないようにする。
【００１２】
本実施の形態におけるケーブル配索構造は、ベース部材に沿って配索されるケーブルを、ベース部材に沿う経路から外れないように規制するものであれば、どのような装置にも用いることができる。例えば、ケーブルを移動することによりケーブルに接続されるキャリア部材を移動させる装置等に適用できる。ケーブル配索構造は、例えば、キャリア部材に接続される窓ガラスを昇降する窓ガラス昇降装置に適用できる。
本実施の形態では、ケーブル配索構造を用いる窓ガラス昇降装置としてのウインドウレギュレータに用いた例を挙げて説明する。
【００１３】
＜窓ガラス昇降装置の全体構成＞
図１は、本発明の一実施の形態に係るケーブル配索構造を用いた窓ガラス昇降装置を模式的に示す正面図であり、図２は、図１に示す窓ガラス昇降装置の左側面図である。
窓ガラス昇降装置１０は、移動ためのベース部材として用いられるガイドレール２０、ケーブル３０、ケーブルガイド部材４０、ガイドレール２０に案内されるキャリア部材６０、及び駆動部７０を有する。ケーブル３０はキャリア部材６０及び駆動部７０と接続されており、駆動部７０の駆動によりケーブル３０が移動し、これに伴いキャリア部材６０が移動する。
【００１４】
窓ガラス昇降装置１０は、キャリア部材６０に接続された窓ガラスＷを移動させる装置である。本実施の形態の窓ガラス昇降装置１０は、例えば、図示しない車両のドアのインナーパネルとアウターパネルとの間に固定され、ドアの窓（例えば窓ガラスＷ）を移動させて昇降する。
キャリア部材６０の移動方向は、移動対象物である窓ガラスＷの昇降方向を基準として規定される上下方向である。窓ガラス昇降装置１０は、窓ガラスＷを昇降することにより、車両においてドアパネル上部に形成される開口の開放或いは閉塞を行う。
【００１５】
［ガイドレール２０］
ガイドレール２０は、キャリア部材６０の移動を案内し、キャリア部材６０を移動可能に支持する。ガイドレール２０には、キャリア部材６０がガイドレール２０の軸周り方向に回転を抑制するリブ等の回転規制部が長手方向に設けられている。
ガイドレール２０は、本実施の形態では、キャリア部材６０の移動方向に長く、ほぼ同一形状の横断面が長手方向に延びるレールである。
【００１６】
ガイドレール２０は、一方の縁部２０ｃと、一方の縁部２０ｃとは反対側の縁部である他方の縁部２０ｄと、ケーブル３０の延在方向と略平行な一方の面２２及び他方の面２４とを有する。
ガイドレール２０は、本実施の形態では、側面視して、正面側（一方の面２２側に相当）の中央部が凸状となるように湾曲している。
ガイドレール２０では、キャリア部材６０が、他方の縁部２０ｄに移動可能に嵌合し、他方の縁部２０ｄに沿って、一方の面２２上を移動自在に支持される。
ガイドレール２０は、例えば、上下方向に延在するように配置される。ガイドレール２０には、一端側、ここでは下端２０ａ側に、ドラム７４が回転可能に設けられ、他端側、ここでは上端２０ｂ側に方向転換部材８０が配置される。なお、本実施の形態では、ガイドレール２０の延在方向、並びに、上昇用ケーブルであるケーブル３０及び下降用ケーブルであるケーブル３１の移動方向はいずれも、キャリア部材６０の上下方向移動に合わせた上下方向であるが、これに限らず、キャリア部材６０の移動方向が上下方向とは異なる方向であれば、例えば、左右方向等どのような方向であってもよい。これらの移動方向は、移動対象物の移動方向に応じて、適宜設定することができる。
【００１７】
ガイドレール２０では、一方の縁部２０ｃにおいて、ケーブルガイド部材４０が、ガイドレール２０の他方の面（例えば、図１で示す背面）２４側に突出するように取り付けられている。なお、ケーブルガイド部材４０は、ガイドレール２０に対して、ガイドレール２０の被係合部２０２及び被接続部２０４を介して取り付けられる（図３及び図４参照）。これら被係合部２０２及び被接続部２０４の詳細については、後述するケーブルガイド部材４０とともに説明する。
【００１８】
［方向転換部材８０］
方向転換部材８０は、ガイドレール２０上においてケーブル３０の移動方向を転換する部材である。
方向転換部材８０は、一端がキャリア部材６０に接続され、他端がドラム７４に接続されたケーブル（３０、３１）のうちキャリア部材６０を上昇させる上昇用のケーブル３０が掛けられる。
方向転換部材８０は、具体的には、ガイドレール２０の下端２０ａ側に配置されたドラム７４から上端２０ｂ側に向かって延在する上昇用のケーブル３０が巻掛けられて、上昇用のケーブル３０の移動方向を転換する。
【００１９】
方向転換部材８０は、上昇用のケーブル３０の延びる方向を転換し、上昇用のケーブル３０の一端側を下方に引き下げる運動が、他端側を上方に引き上げる運動へと転換される。
方向転換部材８０は、例えば、上昇用のケーブル３０が巻掛けられるプーリ８２と、プーリ８２が一端側で回転自在に取り付けられ、他端側でガイドレール２０の上端２０ｂに固定されるプーリ軸８４とを有する。なお、プーリ８２には、上昇用のケーブル３０が掛けられる図示しないケーブル溝が形成される。具体的には、円盤状の部材であるプーリ８２の円盤外周に、同形状をもつ２つのフランジが設けられており、これら２つのフランジ間の小径部がケーブル溝として周方向に延在する。プーリ８２は、例えば、樹脂製である。
【００２０】
プーリ軸８４は、プーリ８２の回転軸であり、ガイドレール２０に固定されることにより、プーリ８２をガイドレール２０に回転自在に支持させる。なお、プーリ８２の近傍に、プーリ８２のケーブル溝に巻掛けられた上昇用のケーブル３０が、上昇用のケーブル３０の張力が弱まる等により弛むことにより、プーリ８２のケーブル溝から外れて離脱することを防止する外れ止部材を設けてもよい。
【００２１】
［ケーブル３０、３１］
ケーブル３０、３１は、キャリア部材６０を、図１において矢印で示す上下方向に移動させる部材である。
ケーブル３０、３１としては、公知のワイヤを用いることができ、例えば、金属素線及び樹脂繊維素線のうちの少なくとも一方を複数用いて撚り合わせたワイヤを用いることができる。
ケーブル３０、３１は、その方向が例えば方向転換部材８０により転換されることが可能な、可撓性を有する。
【００２２】
ケーブル３０、３１の一端には、キャリア部材６０が接続され、他端には駆動部７０が接続される。
ケーブル３０は、本実施の形態では、上昇用のケーブルであり、ケーブル３１は、下降用のケーブルである。
【００２３】
ケーブル３０は、キャリア部材６０を上方に牽引するものであり、一端がキャリア部材６０に連結され、上部の方向転換部材８０のプーリ８２に掛け回されて、他端が駆動部７０のドラム７４に連結されている。ケーブル３０は、駆動部７０と方向転換部材８０との間の領域においては、ガイドレール２０の一方の縁部２０ｃ側に、一方の縁部２０ｃに沿って、張力を付与された状態で上下方向に沿って直線状に配置される。
ケーブル３０は、方向転換部材８０と、キャリア部材６０との間の領域においては、ガイドレール２０の他方の縁部２０ｄに沿って、ガイドレール２０の他方の縁部２０ｄ上に、張力を付与された状態で上下方向に沿って直線状に配置されている。
【００２４】
ケーブル３１は、キャリア部材６０と駆動部７０との間の領域に配置され、一端がキャリア部材６０に接続され、キャリア部材６０から下方に延在し、他端が、駆動部７０のドラム７４に接続されている。
【００２５】
駆動部７０がドラム７４にケーブル３０を巻くよう駆動し、ケーブル３０を牽引すると、キャリア部材６０は、上方に牽引されて、上昇する。このときケーブル３１は、ドラム７４から繰り出される。
駆動部７０がドラム７４にケーブル３１を巻くように駆動し、ケーブル３１を下方に牽引すると、キャリア部材６０は、下方に牽引されて下降する。このときケーブル３０はドラム７４から繰り出される。
このように、キャリア部材６０は、ケーブル３０、３１の上下方向移動によって駆動部７０の駆動と連動して上下方向に移動する。
【００２６】
［キャリア部材６０］
キャリア部材６０は、ケーブル３０を介して駆動部７０により移動される。
キャリア部材６０は、ガイドレール２０に嵌合し、ガイドレール２０に案内されて、ガイドレール２０の延在方向に沿って移動する。
本実施の形態では、キャリア部材６０は、ウインドウレギュレータのキャリアプレートであり、窓ガラスＷの下端部を保持するとともに、ガイドレール２０に沿って窓ガラスＷの昇降方向に案内される。
キャリア部材６０は、ガイドレール２０の一端側（図１では下端２０ａ側）と他端側（図１では上端２０ｂ側）間で移動し、移動対象物である窓ガラスＷを移動させる。
【００２７】
［駆動部７０］
駆動部７０は、ケーブルの他端、具体的には、ケーブル３０及びケーブル３１の他端がそれぞれ接続される。
駆動部７０は、ケーブル３０、３１を介してキャリア部材６０を昇降移動する。
駆動部７０は、電気的に駆動するモータ７２と、ドラム７４と、モータ７２の回転運動をドラム７４に伝達する例えば、ウォームギヤ等の図示しない動力伝達部とを有する。駆動部７０は、モータ７２を順方向と逆方向とに回転駆動し、この回転駆動によりドラム７４が順方向と逆方向とに回転する。
【００２８】
本実施の形態では、ドラム７４は、ガイドレール２０の一端側、図１では下端２０ａ側で回転可能に保持される。ドラム７４は、駆動部７０の回転駆動において、順方向の回転と、逆方向の回転とを行う。ドラム７４には、ケーブル３０とケーブル３１とが、互いに逆向きに巻かれる。ドラム７４は、回転方向によって、ケーブル３０を巻き込んでケーブル３０を引っ張るか、ケーブル３１を巻き込んでケーブル３１を引っ張る。ドラム７４は、ケーブル３０を巻き込むときにはケーブル３１を繰り出し、ケーブル３１を巻き込むときにはケーブル３０を繰り出す。駆動部７０は、本実施形態においては、ガイドレール２０の端部に設けられているが、ガイドレール２０から離れて配置されてもよい。
【００２９】
［ケーブルガイド部材４０］
図３は、窓ガラス昇降装置におけるケーブル配索構造の要部構成を模式的に示す斜視図であり、図４Ａは、図３におけるＡ−Ａ線断面図であり、図４Ｂは図３におけるＢ−Ｂ線断面図である。
ケーブルガイド部材４０は、ベース部材を用いたガイドレール２０に取り付けられ、ケーブル３０をガイドレール２０に沿って配索されるように案内する。
ケーブルガイド部材４０は、ケーブル３０を、ガイドレール２０に沿うケーブル３０の配索経路から離脱不能に、ガイドレール２０とともに規制する。
【００３０】
ケーブルガイド部材４０は、ガイドレール２０に沿って配索されるケーブル３０の両端中間の直線状部３０２を支持する。
ケーブル３０の両端は、本実施の形態では、ガイドレール２０に沿って延在する方向で離間する両端であり、ドラム７４と方向転換部材８０とに接続される部位である。ケーブル３０の両端中間の直線状部３０２は、ガイドレール２０に沿って配索されるケーブル３０において、ドラム７４と方向転換部材８０との間に配索される直線状の部位を意味する。
ケーブルガイド部材４０は、一方の縁部４２ａと他方の縁部４２ｂとを有する支持部４２と、一方の縁部４２ａ側に立設する第一立設部４４と、他方の縁部４２ｂ側に立設する第二立設部４６とを有する。
【００３１】
支持部４２は、ケーブル３０がケーブル３０の配索経路に配索されるように、ケーブル３０を支持する。
支持部４２は、面状部にケーブル３０の直線状の部分の直線状部３０２が配索されており、ケーブル３０の配索方向と交差する方向において一方の縁部４２ａと他方の縁部４２ｂとが、ケーブル３０の直線状部３０２を挟むように位置する幅を有する。
支持部４２は、本実施の形態では、一方の縁部４２ａと他方の縁部４２ｂを幅方向両端とし、面状部は、ケーブル３０の延在方向に延びるように形成されている。面状部は、第一立設部４４及び第二立設部４６が延びる側の面であり、本実施形態においては、支持部４２のケーブル３０に面する側の面４２ｃとなっている。
【００３２】
第一立設部４４は、ケーブルガイド部材４０をガイドレール２０に取り付ける機能を有し、第二立設部４６は、ケーブルガイド部材４０をガイドレール２０に接続する機能を有する。
第一立設部４４及び第二立設部４６は、支持部４２においてケーブル３０を支持する面状部から立ち上がるように設けられている。
第一立設部４４及び第二立設部４６は、ガイドレール２０にケーブルガイド部材４０が取り付けられた際に、支持部４２上のケーブル３０の直線状部３０２の両側方にそれぞれ配置され、支持部４２とともにケーブル３０の直線状部３０２を３方から囲む。
【００３３】
第一立設部４４と第二立設部４６は、第一立設部４４と第二立設部４６との間にケーブル３０の直線状部３０２が配置される間隔を空けて配置されている。
第一立設部４４は、ガイドレール２０と係合し、第二立設部４６は、ガイドレール２０に接続される。
本実施の形態では、第一立設部４４は、ガイドレール２０の被係合部２０２に係合し、第二立設部４６は、ガイドレール２０の被接続部２０４に接続する。
【００３４】
被係合部２０２及び被接続部２０４は、ケーブルガイド部材４０が取り付けられる構成であればどのように形成されてもよいが、本実施の形態では、被係合部２０２及び被接続部２０４は、一方の縁部２０ｃから、ガイドレール２０の横方向に延びるように突設された板状部である。
【００３５】
第一立設部４４は、支持部４２の縁部４２ａ側から突出する第一立設部本体４４１と、第一立設部本体４４１の突出端部に接続され、ガイドレール２０の被係合部２０２と係合する係合部４４２とを有する。
第一立設部本体４４１は、支持部４２上のケーブル３０の直線状部３０２が、一方の縁部４２ａから外部へ移動することによるケーブルガイド部材４０からの離間を規制する。
【００３６】
係合部４４２は、ケーブルガイド部材４０がガイドレール２０に取り付けられた状態でケーブル３０が配索された配索状態において、ケーブル３０が支持部４２と当接することにより支持部４２が受ける力の方向に、ガイドレール２０の被係合部２０２と係合する。
係合部４４２が被係合部２０２に係合することにより、ケーブルガイド部材４０はガイドレール２０に外れないように取り付けられた状態となる。
【００３７】
具体的には、本実施の形態において、ケーブルガイド部材４０がガイドレール２０に取り付けられた状態でケーブル３０が配索された配索状態とは、ケーブルガイド部材４０が支持するケーブル３０は、湾曲するガイドレール２０の両端２０ａ、２０ｂ間に張設された状態である。すなわち、ケーブル３０には張力がかかり、ガイドレール２０において凸側の一方の面２２側から他方の面２４に移動する力が加わり、ケーブル３０が支持部４２と当接し、これにより、支持部４２がケーブル３０から力を受けることになる。この支持部４２が受ける力の方向に、係合部４４２は、被係合部２０２に対して係合する。
【００３８】
第一立設部４４と第二立設部４６とは、ケーブル３０の延びる方向に離間して支持部４２に設けられている。
本実施の形態では、第二立設部４６は、ケーブル３０の延びる方向に離間して、第一立設部４４を挟むように、支持部４２に２つ設けられている。
【００３９】
係合部４４２は、ガイドレール２０に係合することにより、ケーブルガイド部材４０をガイドレール２０に固定するものであればどのように構成されてもよい。
【００４０】
本実施の形態では、係合部４４２は、第一立設部４４が支持部４２から延びる方向に突出する凸部４４４を有し、被係合部２０２に設けられた孔２０８に挿入して係合可能となっている。孔２０８は、被係合部２０２に凸部４４４を挿入可能に設けられている。
具体的には、係合部４４２は、被係合部２０２の第一面２２２と当接する第一当接部４４２２と、被係合部２０２の第二面２２４と当接する第二当接部４４２４と、先端に凸部４４４が設けられた弾性片４４４６とを有する。
【００４１】
なお、被係合部２０２の第一面２２２と第二面２２４は、ケーブル３０が配索される方向と略平行な面であり、第一面２２２と、第一面２２２と反対側の第二面２２４である。これら第一面２２２及び第二面２２４は、本実施の形態では、ガイドレール２０の表裏面のうちの一方の面２２と、他方の面２４とにそれぞれ対応する。
【００４２】
本実施の形態では、第一当接部４４２２と第二当接部４４２４とによる挟持方向は、レール部材、つまりは、ガイドレール２０の厚み方向であり、ケーブル３０の配索方向と、ガイドレール２０の幅方向（ケーブルガイド部材４０の縁部が離間する方向）との双方に交差する方向である。
第一当接部４４２２と、第二当接部４４２４とは、第一立設部本体４４１の端部（突出端部）から他の縁部４２ｂ側に向かって凹状に突出するように形成されている。
【００４３】
第一当接部４４２２と第二当接部４４２４は、被係合部２０２を挟持可能である。
【００４４】
本実施の形態の弾性片４４４６は、第二当接部４４２４に設けられ、一方の縁部４２ａ側から他方の縁部４２ｂ側に向かって延出され、その先端に凸部４４４が形成されている。
【００４５】
これにより、荷重を受けたケーブル３０が支持部４２へ移動或いは係合部４４２に移動しても、凸部４４４と孔２０８と係合状態は維持され、互いを係合させるだけで、ガイドレール２０にケーブルガイド部材４０を確実に取り付けることができる。
【００４６】
特に、ケーブル３０が支持部４２側に移動する荷重を受けた際に、凸部４４４は、孔２０８内に挿入されて、外れない。
第一立設部４４は、本実施の形態では、係合部４４２に、ガイドレール２０の被係合部２０２が他方の縁部４２ｂ側から挿入されることにより、ガイドレール２０に係合する。
このとき、係合部４４２及び被係合部２０２の双方は、ケーブル３０の直線状部３０２に対して支持部４２と反対側への方向に配置される。
【００４７】
これにより、図４Ａに示すように、ケーブル３０の直線状部３０２は、ガイドレール２０の被係合部２０２、第一立設部本体４４１及び支持部４２により、ガイドレール２０の一方の縁部２０ｃから外方に離れる方向への移動、及び、正正面（ガイドレール２０の表面側）への移動を規制した状態でガイドレール２０に取り付けられる。
【００４８】
第二立設部４６は、第一立設部４４との間に直線状部３０２が配置される間隔を空けて支持部４２の縁部４２ｂ側から突出する第二立設部本体４６１と、第二立設部本体４６１の突出端部に接続され、ガイドレール２０と接続する接続部４６２を有する。
第二立設部４６では、接続部４６２が、ガイドレール２０の被接続部２０４に接続される。
接続部４６２は、本実施の形態では、被接続部２０４に対して、被接続部２０４に掛止して第二立設部４６を吊設した状態、つまり、ケーブルガイド部材４０をガイドレール２０に吊設した状態に接続する。
【００４９】
本実施の形態では、接続部４６２は、支持部４２が、張力が付与されたケーブル３０から力を受けることにより、加わる力の方向で被接続部２０４に当接して接続するように構成されている。すなわち、ケーブルガイド部材４０がガイドレール２０に取り付けられてケーブル３０を支持する状態においては、接続部４６２は、ケーブル３０による荷重により被接続部２０４を押圧することになり、被接続部２０４に掛止して吊り下げられた状態となっている。
【００５０】
第一立設部４４と第二立設部４６とは、ケーブル３０の延びる方向に離間して支持部４２に設けられている。
本実施の形態では、第二立設部４６は、ケーブル３０の延びる方向に離間して、第一立設部４４を挟むように、支持部４２に複数設けられている。
これにより、ケーブルガイド部材４０では、支持部４２上に配置されたケーブル３０の直線状部３０２は、支持部４２の一方の縁部４２ａ側の第一立設部４４と、支持部４２の他方の縁部４２ｂ側の第二立設部４６、４６との間に配置される。
【００５１】
また、第一立設部４４は、支持部４２の上方で係合部４４２においてガイドレール２０の被係合部２０２に係合し、第二立設部４６、４６は、支持部４２の上方でガイドレール２０の被接続部２０４に接続されている。
これにより、支持部４２上のケーブル３０の直線状部３０２は、支持部４２と、第一立設部４４の第一立設部本体４４１と、第二立設部４６の第二立設部本体４６１と、第一立設部４４の係合部４４２及び係合部４４２に係合するガイドレール２０の被係合部２０２とによりその周囲が完全に囲まれた空間（図３に示すケーブル収容空間Ｓ）内に配置された状態となっている。なお、図３に示すケーブル収容空間Ｓは、支持部４２上において、支持部４２と、第一立設部４４と、一つの第二立設部４６との間で形成される空間のみ示すが、支持部４２と、第一立設部４４と、第一立設部４４を挟む２つの第二立設部４６、４６との間にそれぞれ形成される。
【００５２】
［ケーブル配索構造１００の組立方法］
ケーブル配索構造１００、具体的には、ケーブル配索構造１００を用いた窓ガラス昇降装置１０の組立は、駆動部７０、方向転換部材８０、キャリア部材６０及びケーブル３０、３１が取り付けられたガイドレール２０に、ケーブルガイド部材４０を取り付けることにより、組み立てられる。
【００５３】
すなわち、ガイドレール２０では、駆動部７０とキャリア部材６０とを接続するケーブル３０、３１を、方向転換部材８０に掛け回されてケーブル３０が配索された配索状態となっている。このとき、ケーブル３０は、ガイドレール２０の一方の縁部２０ｃ側において、ガイドレール２０の両端２０ａ、２０ｂのドラム７４及び方向転換部材８０の間の領域に架設されている。
【００５４】
次いで、ガイドレールの一方の縁部２０ｃ側に、ケーブルガイド部材４０を取り付ける。この取り付け作業において、まず、ケーブルガイド部材４０の支持部４２、第一立設部４４及び第二立設部４６との間にケーブル３０の直線状部３０２を挿入して配置する。
【００５５】
係合部４４２を有する第一立設部４４と第二立設部４６とが、ケーブル３０が延びる方向に離間して支持部４２に設けられているので、双方がケーブル３０の延びる方向で接近して配置される構造と比較して、第一立設部４４及び第二立設部４６の間に挿入しやすい。次いで、第二立設部４６の接続部４６２を被接続部２０４に掛止させた状態で、第一立設部４４の係合部４４２を被係合部２０２に係合させて、ガイドレール２０に、ケーブルガイド部材４０を取り付ける。
これにより、支持部４２に配置されたケーブル３０の軸周り方向に、ケーブル３０が離脱不能な閉構造が形成された配索構造１００が組み立てられる。
【００５６】
他方の面２４側に凸となるように湾曲するガイドレール２０の両端２０ａ、２０ｂ間に張設されるケーブル３０は、一方の面２２側から他方の面２４側に張力がかかり、支持部４２に当接して支持部４２に力が掛かる。
係合部４４２と被係合部２０２とは、ケーブル３０が支持部４２と当接することにより支持部４２が受ける力の方向に係合する係合関係を形成しているので、互いの係合状態が強固になり互いに離脱することがない。
また、第二立設部４６の接続部４６２は、支持部４２がケーブル３０から受ける力の方向に被接続部２０４を押圧して接続され、ケーブルガイド部材４０がガイドレール２０に吊り下がる状態で確実に接続した状態となる。
【００５７】
このように係合部４４２と被係合部２０２とを係合させるだけでガイドレール２０にケーブルガイド部材４０が係合し、且つ、接続部４６２が被接続部２０４に押し付けられて吊り下げた状態で取り付けられて、容易にケーブル配索構造を実現することができる。
【００５８】
また、本実施の形態のケーブル配索構造１００は、ベース部を用いたガイドレール２０に、ケーブルガイド部材４０を取り付けて、ガイドレール２０に沿って配索されるケーブル３０の両端中間の直線状部３０２を支持する。
ケーブル３０の直線状部３０２は、ケーブルガイド部材４０において、支持部４２上で、第一立設部４４及び第二立設部４６との間に配置され、第一立設部４４の係合部４４２はガイドレール２０の被係合部２０２に係合し、第二立設部４６の接続部４６２は、ガイドレール２０の被接続部２０４に接続されている。
【００５９】
これにより、直線状部３０２は、支持部４２、第一立設部４４、第二立設部４６、第一立設部４４の係合部４４２に被係合部２０２で係合するガイドレール２０により、３次元的に周囲を囲まれて配置された状態となっている。
【００６０】
すなわち、ケーブルガイド部材４０は、ベース部材、本実施の形態では、ガイドレール２０とともに、ガイドレール２０に取り付けられた状態でケーブル３０が配索された配索状態において、支持部４２に配置されたケーブル３０の軸周り方向に、ケーブル３０が離脱不能な閉構造を形成している。
よって、取り付けが容易であり、ケーブル３０が抜けにくいケーブルガイド部材４０を用いたケーブル配索構造を実現できる。
【００６１】
また、本実施の形態のケーブル配索構造１００におけるケーブルガイド部材４０は、ガイドレール２０の被接続部２０４に対して吊り下げて接続する構成であるため、被接続部２０４が湾曲する形状であっても、その湾曲形状に対応させて湾曲形状に形成する必要が無い。よって、形状が簡素化され、ケーブルガイド部材４０を、樹脂等を用いて製造する際の歩留まりを良好にできる。
【００６２】
なお、本実施の形態では、第一立設部４４及び第二立設部４６を支持部４２から突出する第一立設部本体４４１、第二立設部本体４６１と、第一立設部本体４４１、第二立設部本体４６１から屈曲して設けられた係合部４４２及び接続部４６２とによりＬ字状に形成したが、これに限らない。第二立設部４６は、ガイドレール２０に吊り下げられる形状であれば、どのような形状に形成されてもよい。
【００６３】
また、凸部４４４は、第二当接部４４２４側に設けたが、凸部４４４が、第一立設部４４が支持部４２から延びる方向、つまり、支持部４２からの第一立設部４４の立ち上がり方向に沿う方向に突出する形状であり、孔２０８に係合すれば、どのように設けられてもよい。例えば、凸部４４４は、第一当接部４４２２において、第一立設部４４に設けてもよい。
【００６４】
［ケーブルガイド部材の変形例］
図５は、本実施の形態１におけるケーブルガイド部材の変形例を示す図である。
図５に示すケーブルガイド部材２００は、ケーブルガイド部材４０と同様の基本的構成を有する。よって、同様の構成要素については、同名称を付してその作用効果の説明は省略する。
【００６５】
ケーブルガイド部材２００は、ベース部材として用いたガイドレール３００に取り付けられて、ガイドレール３００に沿って配索されるケーブル３０の両端中間の直線状部３０２を支持するケーブル配索構造を構成する。
ケーブルガイド部材２００は、一方の縁部２１２と他方の縁部２１４とを有する支持部２１０と、一方の縁部２１２側に立設する第一立設部２２０と、他方の縁部２１４側に立設する第二立設部２３０とを有する。
ケーブルガイド部材２００は樹脂製であり、ケーブル３０を円滑に案内する。
支持部２１０は、ケーブルの延びる方向に沿って湾曲した支持面２１０ａを有し、この支持面上において配索されるケーブル３０の直線状部３０２を支持する。
【００６６】
第一立設部２２０と第二立設部２３０とは、ケーブル３０が延びる方向に離間して支持部に設けられている。
第一立設部２２０と第二立設部２３０とは、第一立設部２２０と第二立設部２３０との間にケーブル３０の直線状部３０２が配置される間隔が空くように、支持部２１０に立設されている。
第一立設部２２０は、上部にガイドレール３００の被係合部３１０と係合する係合部２４０を有する。
係合部２４０は、他方の縁部２１４側に開口する開口２４１と、開口２４１を形成する第一当接部２４２と、第二当接部２４４と、先端に凸部２４５が設けられた弾性片２４６とを有する。
【００６７】
係合部２４０の開口２４１には、ガイドレール３００の被係合部３１０が挿入される。  第一当接部２４２及び第二当接部２４４は、開口２４１に挿入される被係合部３１０を挟持する。係合部２４０の外周壁がガイドレール３００の延びる方向の被係合部３１０の端面と当接して、ケーブルガイド部材２００がガイドレール３００の延びる方向へ移動するのを抑制している。
ケーブルガイド部材２００では、凸部２４５は、ケーブル３０の延びる方向に複数並べて設けられている。
【００６８】
第二立設部２３０は、ガイドレール３００の被接続部３２０と接続する接続部２５０を有する。
接続部２５０は、ガイドレール３００への取り付け方向に開口するＵ字状に形成されており、ケーブルガイド部材２００では、被接続部３２０に吊設されるとともに、被接続部３２０を挟むように構成されている。
すなわち、接続部２５０は、Ｕ字状の上端面を形成する上面部２５２と、上面部２５２の下方、つまり支持部２１０側に、上面部２５２と対向する下面部２５４とを有し、上面部２５２が被接続部３２０を一面側から押圧し、下面部２５４は被接続部３２０の第二面部と対向して配置される。
また、接続部２５０は、支持部２１０の他方の端部２１４から垂直に立設する第二立設部本体２３２の上端部から第一立設部２２０側へ突出して設けられている。このように接続部２５０、つまり、第二立設部２３０の上端部は、第一立設部２２０側に突出しているので、接続部２５０の第一立設部２２０側の端部下方には、広い切り欠き空間２３４が形成されている。これにより、支持部２１０上に配置されるケーブル３０は、支持部２１０から離れる方向への移動を規制する。
【００６９】
一方、ケーブルガイド部材２００が取り付けられるベース部材としてのガイドレール３００には、被係合部３１０と被接続部３２０とが、第一立設部２２０及び第二立設部２３０と対応する位置に設けられている。
被係合部３１０及び被接続部３２０は、ガイドレール３００の一方の端部からガイドレール３００の表面と平行に突出する板状体である。被係合部３１０及び被接続部３２０は、ケーブル３０が配索される方向と略平行な第一面３１０ａと第一面３１０ａと反対側の第二面３１０ｂとを有する。被係合部３１０及び被接続部３２０は、ガイドレール３００と一体に形成されていることが好ましい。被係合部３１０には、凸部２４５に対応して凸部２４５を挿入可能な複数の孔３１８が形成されている。
ガイドレール３００にケーブルガイド部材２００を取り付ける際には、ケーブルガイド部材２００の支持部２１０と、第一立設部２２０及び第二立設部２３０とにより囲まれる空間内に、ケーブル３０を配置する。
【００７０】
次いで、ガイドレール３００の被係合部３１０をケーブルガイド部材２００の係合部２４０の開口２４１に挿入する。同様に、ガイドレール３００の被接続部３２０を第二立設部２３０の接続部２５０のＵ字状の開口内に挿入する。
このようにして、ケーブルガイド部材２００は、ガイドレール３００に、接続部２５０の上面部２５２が被接続部３２０にケーブル３０の張力により押圧されることにより吊設されるとともに、係合部２４０は、被係合部３１０に係合する。係合部２４０と被係合部３１０との係合状態は、第一当接部２４２と第二当接部２４４とにより、被係合部３１０の第一面３１０ａと第二面３１０ｂとを挟持しつつ、孔３１８に凸部２４５が挿入された状態である。
【００７１】
このようにケーブルガイド部材２００とガイドレール３００とは、ケーブルガイド部材２００がガイドレール３００に取り付けられた状態で、ケーブル３０が配索された配索状態において、ケーブル３０が支持部２１０と当接する。これにより、ケーブル３０の移動に伴い支持部２１０が受ける力の方向に、係合部２４０と被係合部３１０とが係合する係合関係を形成する。また、支持部２１０が受ける力の方向においてケーブルガイド部材２００は、ガイドレール３００に吊り下げられる。
また、ケーブル配索構造と同様に、支持部２１０上のケーブル３０は、第一立設部２２０、第二立設部２３０及び、第一立設部２２０と係合する被係合部３１０により、その周囲を完全に囲まれた状態となる。すなわち、ケーブルガイド部材２００とガイドレールとは、配索状態において支持部２１０に配置されたケーブル３０の軸周り方向に、ケーブル３０が離脱不能な閉構造を形成する。
よって、ケーブルガイド部材２００は、ベース部材を用いたガイドレール３００に取り付けられてケーブル配索構造１００と同様の作用効果を有するケーブル配索構造となる。
【００７２】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００７３】
本発明に係るケーブル配索構造は、取り付けが簡単で、かつケーブルが抜けにくいケーブルガイドを用いたものであり、ウインドウレギュレータ等の窓ガラス昇降装置に適用可能である。
【符号の説明】
【００７４】
１０  窓ガラス昇降装置
２０、３００  ガイドレール
２０ａ  下端
２０ｂ  上端
２０ｃ、２１２  一方の縁部
２０ｄ、２１４  他方の縁部
２２  一方の面
２４  他方の面
３０、３１  ケーブル
４０、２００  ケーブルガイド部材
４２，２１０  支持部
４２ａ、４２ｂ  縁部
４４、２２０  第一立設部
４６、２３０  第二立設部
６０  キャリア部材
７０  駆動部
７２  モータ
７４  ドラム
８０  方向転換部材
８２  プーリ
８４  プーリ軸
１００  ケーブル配索構造
２０２、３１０  被係合部
２０４、３２０  被接続部
２０８，３１８  孔
２２２、３１０ａ  第一面
２２４、３１０ｂ  第二面
２３４  切り欠き空間
２４０、４４２  係合部
２４１  開口
２４２、４４２２  第一当接部
２４４、４４２４  第二当接部
２４５、４４４  凸部
２４６  弾性片
２５０、４６２  接続部
２５２  上面部
２５４  下面部
３０２  直線状部
３０８、３１８  孔
４４１  第一立設部本体
４６１、２３２  第二立設部本体
４４４６  弾性片
【図１】
2020002713.tif 000003
【図２】
2020002713.tif 000004
【図３】
2020002713.tif 000005
【図４】
2020002713.tif 000006
【図５】
2020002713.tif 000007